【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
画像信号を基にレーザ駆動信号を生成するレーザ駆動制御部と、
前記レーザ駆動信号に応じてレーザ光を発するレーザ発光素子と、
前記レーザ発光素子が発したレーザ光を反射して、像担持体を走査するための回転多面鏡と、
前記回転多面鏡を介して前記像担持体を走査するレーザ光の光量ムラ情報を、前記回転多面鏡のレーザ反射面毎に記憶する第１記憶手段と、
前記第１記憶手段に記憶された光量ムラ情報に基づいて、補正データを生成する補正データ生成手段と、
前記光量ムラ情報に対応する前記回転多面鏡の反射面を検知する面検知手段と、
を備え、
前記レーザ駆動制御部は、前記面検知手段で検知した反射面に対応する前記補正データを用いてレーザ光の光量に対する前記レーザ駆動信号を補正することを特徴とする画像形成装置。
【請求項２】
前記像担持体における帯電ムラ情報を記憶する第２記憶手段を更に有し、
前記補正データ生成手段は、前記第１記憶手段に記憶された光量ムラ情報と、前記第２記憶手段に記憶された帯電ムラ情報の両方を用いて前記補正データを生成することを特徴とする請求項１に記載の画像形成装置。
【請求項３】
前記像担持体は基準位置を有し、
前記像担持体が前記基準位置にあることを検出する検出手段と、
前記像担持体の前記基準位置からの相対位置を特定する特定手段と、
を更に備え、
前記補正データ生成手段は更に、特定した前記相対位置に応じて、前記補正データを生成することを特徴とする請求項２に記載の画像形成装置。
【請求項４】
前記補正データ生成手段で生成された前記補正データを、前記回転多面鏡の反射面毎に記憶する第３記憶手段を更に備えたことを特徴とする請求項１乃至３のいずれか一項に記載の画像形成装置。
【請求項５】
前記補正データ生成手段は、前記第１記憶手段に記憶された光量ムラ情報から、前記回転多面鏡の反射面毎に逐次、前記補正データを生成することを特徴とする請求項１乃至４のいずれか一項に記載の画像形成装置。
【請求項６】
画像信号を基にレーザ駆動信号を生成するレーザ駆動制御部と、
前記レーザ駆動信号に応じてレーザ光を発するレーザ発光素子と、
前記レーザ発光素子が発したレーザ光を反射して、像担持体を走査するための回転多面鏡と、
前記回転多面鏡を介して前記像担持体を走査するレーザ光の光量ムラ情報を、前記回転多面鏡のレーザ反射面毎に記憶する第１記憶手段と、
前記光量ムラ情報に対応する前記回転多面鏡の反射面を検知する面検知手段と、
を備える画像形成装置の制御方法であって、
前記第１記憶手段に記憶された光量ムラ情報に基づいて、補正データを生成し、前記レーザ駆動制御部は、前記面検知手段で検知した反射面に対応する前記補正データを用いてレーザ光の光量に対する前記レーザ駆動信号を補正することを特徴とする画像形成装置の制御方法。
【請求項７】
画像信号を基にレーザ駆動信号を生成するレーザ駆動制御部と、
前記レーザ駆動信号に応じてレーザ光を発するレーザ発光素子と、
前記レーザ発光素子が発したレーザ光を反射して、像担持体を走査するための回転多面鏡と、
前記回転多面鏡を介して前記像担持体を走査するレーザ光の光量ムラ情報を、前記回転多面鏡のレーザ反射面毎に記憶する第１記憶手段と、
前記光量ムラ情報に対応する前記回転多面鏡の反射面を検知する面検知手段と、
を備える画像形成装置の制御プログラムであって、
前記第１記憶手段に記憶された光量ムラ情報に基づいて、補正データを生成し、前記レーザ駆動制御部は、前記面検知手段で検知した反射面に対応する前記補正データを用いてレーザ光の光量に対する前記レーザ駆動信号を補正する機能を画像形成装置に実現させることを特徴とする画像形成装置の制御プログラム。
【手続補正２】
【補正対象書類名】明細書
【補正対象項目名】０００８
【補正方法】変更
【補正の内容】
【０００８】
前記レーザ駆動信号に応じてレーザ光を発するレーザ発光素子。
【手続補正３】
【補正対象書類名】明細書
【補正対象項目名】０００９
【補正方法】変更
【補正の内容】
【０００９】
前記レーザ発光素子が発したレーザ光を反射して、像担持体を走査するための回転多面鏡。
【手続補正４】
【補正対象書類名】明細書
【補正対象項目名】００１０
【補正方法】変更
【補正の内容】
【００１０】
前記回転多面鏡を介して前記像担持体を走査するレーザ光の光量ムラ情報を、前記回転多面鏡のレーザ反射面毎に記憶する第１記憶手段。
【手続補正５】
【補正対象書類名】明細書
【補正対象項目名】００１２
【補正方法】変更
【補正の内容】
【００１２】
前記光量ムラ情報に対応する前記回転多面鏡の反射面を検知する面検知手段。
【手続補正６】
【補正対象書類名】明細書
【補正対象項目名】００１３
【補正方法】変更
【補正の内容】
【００１３】
そして、前記レーザ駆動制御部は、前記面検知手段で検知した反射面に対応する前記補正データを用いてレーザ光の光量に対する前記レーザ駆動信号を補正することを特徴とする。
【手続補正７】
【補正対象書類名】明細書
【補正対象項目名】００１６
【補正方法】変更
【補正の内容】
【００１６】
前記レーザ駆動信号に応じてレーザ光を発するレーザ発光素子。
【手続補正８】
【補正対象書類名】明細書
【補正対象項目名】００１７
【補正方法】変更
【補正の内容】
【００１７】
前記レーザ発光素子が発したレーザ光を反射して、像担持体を走査するための回転多面鏡。
【手続補正９】
【補正対象書類名】明細書
【補正対象項目名】００１８
【補正方法】変更
【補正の内容】
【００１８】
前記回転多面鏡を介して前記像担持体を走査するレーザ光の光量ムラ情報を、前記回転多面鏡のレーザ反射面毎に、記憶する第１記憶手段。
【手続補正１０】
【補正対象書類名】明細書
【補正対象項目名】００１９
【補正方法】変更
【補正の内容】
【００１９】
前記光量ムラ情報に対応する前記回転多面鏡の反射面を検知する面検知手段。
【手続補正１１】
【補正対象書類名】明細書
【補正対象項目名】００２０
【補正方法】変更
【補正の内容】
【００２０】
そして、前記第１記憶手段に記憶された光量ムラ情報に基づいて、補正データを生成し、前記レーザ駆動制御部は、前記面検知手段で検知した反射面に対応する前記補正データを用いてレーザ光の光量に対する前記レーザ駆動信号を補正することを特徴とする。
【手続補正１２】
【補正対象書類名】明細書
【補正対象項目名】００２３
【補正方法】変更
【補正の内容】
【００２３】
前記レーザ駆動信号に応じてレーザ光を発するレーザ発光素子。
【手続補正１３】
【補正対象書類名】明細書
【補正対象項目名】００２４
【補正方法】変更
【補正の内容】
【００２４】
前記レーザ発光素子が発したレーザ光を反射して、像担持体で走査するための回転多面鏡。
【手続補正１４】
【補正対象書類名】明細書
【補正対象項目名】００２５
【補正方法】変更
【補正の内容】
【００２５】
前記回転多面鏡を介して前記像担持体を走査するレーザ光の光量ムラ情報を、前記回転多面鏡のレーザ反射面毎に、記憶する第１記憶手段。
【手続補正１５】
【補正対象書類名】明細書
【補正対象項目名】００２６
【補正方法】変更
【補正の内容】
【００２６】
前記光量ムラ情報に対応する前記回転多面鏡の反射面を検知する面検知手段。
【手続補正１６】
【補正対象書類名】明細書
【補正対象項目名】００２７
【補正方法】変更
【補正の内容】
【００２７】
そして、第１記憶手段に記憶された光量ムラ情報に基づいて、補正データを生成し、前記レーザ駆動制御部は、前記面検知手段で検知した反射面に対応する前記補正データを用いてレーザ光の光量に対する前記レーザ駆動信号を補正する機能を画像形成装置に実現させることを特徴とする。